(57)【要約】  物品を梱包するためのカートン（９０）は、第１の筒状構造を形成する、頂壁（２０）、底壁（１６）、第１の側壁（１４）、及び、第２の側壁（１８）を含む、第１の複数の壁（１２、１４、１６、１８、２０）を含む。第１の筒状構造の各端部は、１つまたは複数の端部閉鎖パネル（３２ａ、３４ａ、３６ａ、３８ａ、３２ｂ、３４ｂ、３６ｂ、３８ｂ）によって少なくとも部分的に閉鎖される。カートンは、ディスプレー装置からカートンを引き出すための端部プルデバイス（Ｅ）を含む。端部プルデバイスは、１つまたは複数の端部閉鎖パネルの縁から打ち抜かれた第１の凹部を有し、これにより、１つまたは複数の端部閉パネルへのアクセスを容易にする。
2016525045.tif 000002
【特許請求の範囲】
【請求項１】
第１の筒状構造を形成する、頂壁、底壁、第１の側壁パネル及び第２の側壁パネルを含む、第１の複数の壁を含む、物品を梱包するためのカートンであって、前記第１の筒状構造の各端部は、１つまたは複数の端部閉鎖パネルによって少なくとも部分的に閉じられており、前記カートンは、ディスプレー装置から前記カートンを引き出すための端部プルデバイスを備え、前記端部プルデバイスは、前記１つまたは複数の端部閉鎖パネルから打ち抜かれた第１の凹部を備え、これにより、前記１つまたは複数の端部閉鎖パネルへのアクセスが容易になることを特徴とするカートン。
【請求項２】
前記１つまたは複数の端部閉鎖パネルは、第１の端部閉鎖パネルを備え、前記第１の凹部は、前記第１の端部閉鎖パネルから打ち抜かれることを特徴とする請求項１に記載のカートン。
【請求項３】
前記１つまたは複数の端部閉鎖パネルは、第２の端部閉鎖パネルをさらに備え、前記端部プルデバイスは、第２の端部閉鎖パネルをさらに備え、前記端部プルデバイスは、前記第２の端部閉鎖パネルの側縁から打ち抜かれた第２の凹部をさらに備えることを特徴とする請求項２に記載のカートン。
【請求項４】
前記第２の端部閉鎖パネルは、前記第１の端部閉鎖パネルと少なくとも部分的に重なる関係で配置されることを特徴とする請求項３に記載のカートン。
【請求項５】
前記第１の凹部は、前記第２の凹部と少なくとも部分的に揃うように重なる関係で配置されることを特徴とする請求項４に記載のカートン。
【請求項６】
前記第１の側壁パネルまたは前記第２の側壁パネルの１つは、前記カートンのどの他の部分とも連結されない自由端縁を備え、前記第１の凹部は、前記自由端縁と隣接して位置し、これより、前記自由端縁は、前記第１の凹部を通じて可視であることを特徴とする請求項１に記載のカートン。
【請求項７】
第２の筒状構造を形成する、頂壁、底壁、第１の側壁及び第２の側壁を含む、第２の複数の壁を備える請求項１に記載のカートンであって、前記第２の筒状構造の各端部は、１つまたは複数の端部閉鎖パネルによって少なくとも部分的に閉じられており、前記カートンは、ディスプレー装置から前記カートンを引き出すための第２の端部プルデバイスを備え、前記第２の端部プルデバイスは、前記第２の筒状構造の前記１つまたは複数の端部閉鎖パネルから打ち抜かれた第２の凹部を備え、これにより、前記第２の筒状構造の前記１つまたは複数の端部閉鎖パネルへのアクセスが容易になることを特徴とするカートン。
【請求項８】
前記第２の筒状構造の前記頂壁は、脆弱連結によって前記第１の筒状構造の前記頂壁に結合され、前記第１の筒状構造は、第１の梱包容器の一部を形成し、前記第２の筒状構造は、第２の梱包容器の一部を形成し、前記第１の梱包容器は、前記第２の梱包容器から取り外し可能であることを特徴とする請求項７に記載のカートン。
【請求項９】
前記第１の端部プルデバイスは、前記カートンの第１の端部に配置され、前記第２の端部プルデバイスは、前記カートンの第２の端部に配置され、前記第２の端部は、前記第１の端部に対向していることを特徴とする請求項７に記載のカートン。
【請求項１０】
前記第１の梱包容器の前記第２の側壁パネルと、前記第２の梱包容器の前記第２の側壁パネルとは、互いに面接触する関係で配置され、前記カートン内に受容される物品の２つの隣接する列の間の内部分割構造を形成することを特徴とする請求項８に記載のカートン。
【請求項１１】
前記第１の梱包容器の前記第２の側壁パネルと、前記第２の梱包容器の前記第２の側壁パネルとは、接着剤または他の接着処理によって互いに固定されることを特徴とする請求項１０に記載のカートン。
【請求項１２】
前記接着剤は、前記第１の梱包容器の前記第２の側壁パネル上に、かつ／または、前記第１の梱包容器及び前記第２の梱包容器の前記底壁によって形成される、前記カートンの底壁に隣接する、前記第２の梱包容器の前記第２の側壁パネル上に配置されることを特徴とする請求項１１に記載のカートン。
【請求項１３】
第１の筒状構造を形成する、頂壁、底壁、第１の側壁及び第２の側壁を含む、第１の複数の壁を含む、物品を梱包するためのカートンであって、前記第１の筒状構造の各端部は、１つまたは複数の端部閉鎖パネルによって少なくとも部分的に閉じられて第１の梱包容器を形成し、前記カートンは、ディスプレー装置から前記第１の梱包容器を引き出すための第１の端部プルデバイスをさらに備え、前記第１の端部プルデバイスは、前記第１の筒状構造の前記１つまたは複数の端部閉鎖パネルから打ち抜かれた第１の凹部を備え、これにより、前記第１の筒状構造の前記１つまたは複数の端部閉鎖パネルへのアクセスが容易にし、  前記カートンは、第２の筒状構造を形成する、頂壁、底壁、第１の側壁及び第２の側壁を含む、第２の複数の壁をさらに備え、前記第２の筒状構造に各端部は、１つまたは複数の端部閉鎖パネルによって少なくとも部分的に閉じられて第２の梱包容器を形成し、前記カートンは、ディスプレー装置から前記第２の梱包容器を引き出すための第２の端部プルデバイスをさらに備え、前記第２の端部プルデバイスは、前記第２の筒状構造の前記１つまたは複数の端部閉鎖パネルから打ち抜かれた第２の凹部を備え、これにより、前記第２の筒状構造の前記１つまたは複数の端部閉鎖パネルへのアクセスが容易にし、前記第１の梱包容器は、前記第２の梱包容器に脆弱的に連結されることを特徴とするカートン。
【請求項１４】
前記第１の筒状構造の前記１つまたは複数の端部閉鎖パネルは、第１の端部閉鎖パネル及び第２の端部閉鎖パネルを備え、前記第１の凹部は、前記第１の端部閉鎖パネルから打ち抜かれ、前記第１の端部プルデバイスは、前記第１の筒状構造の前記第２の端部閉鎖パネルの側縁から打ち抜かれる第３の凹部をさらに備えることを特徴とする請求項１３に記載のカートン。
【請求項１５】
前記第１の筒状構造の前記第２の端部閉鎖パネルは、前記第１の筒状構造の前記第１の端部閉鎖パネルと少なくとも部分的に重なる関係で配置されることを特徴とする請求項１４に記載のカートン。
【請求項１６】
前記第３の凹部は、前記第１の筒状構造の前記第１の端部閉鎖パネルの前記第１の凹部と少なくとも部分的に揃うように重なる関係で配置されることを特徴とする請求項１５に記載のカートン。
【請求項１７】
前記第２の筒状構造の前記１つまたは複数の端部閉鎖パネルは、第１の端部閉鎖パネル及び第２の端部閉鎖パネルを備え、前記第２の凹部は、前記第２の筒状構造の前記第１の端部閉鎖パネルから打ち抜かれ、前記第２の端部プルデバイスは、前記第２の筒状構造の前記第２の端部閉鎖パネルの側縁から打ち抜かれる第４の凹部をさらに備えることを特徴とする請求項１３に記載のカートン。
【請求項１８】
前記第２の筒状構造の前記第２の端部閉鎖パネルは、前記第２の筒状構造の前記第１の端部閉鎖パネルと少なくとも部分的に重なる関係で配置されることを特徴とする請求項１７に記載のカートン。
【請求項１９】
前記第４の凹部は、前記第２の凹部と少なくとも部分的に揃うように重なる関係で配置されることを特徴とする請求項１８に記載のカートン。
【請求項２０】
前記第１の端部プルデバイスは、前記カートンの第１の端部に配置され、前記第２の端部プルデバイスは、前記カートンの第２の端部に配置され、前記第２の端部は前記第１の端部と対向していることを特徴とする請求項１４に記載のカートン。
【請求項２１】
カートンを形成するためのブランクであって、前記ブランクは、頂壁、底壁、第１の側壁及び第２の側壁を含む、組み立てられた状態において第１の筒状構造を形成するための第１の複数のパネルを備え、前記ブランクは、第１の梱包容器を形成するために第１の筒状構造の各端部を少なくとも部分的に閉鎖するための１つまたは複数の端部閉鎖パネルを備え、前記ブランクは、組み立てられた状態の第１の梱包容器をディスプレー装置から引き出すための第１の端部プルデバイスを備え、第１の端部プルデバイスは、第１の筒状構造の前記１つまたは複数の端部閉鎖パネルへのアクセスを容易にするために、第１の筒状構造の前記１つまたは複数の端部閉鎖パネルの側縁から打ち抜かれた第１の凹部を備え、前記ブランクは、頂壁、底壁、第１の側壁及び第２の側壁を含む、組み立てられた状態において第２の筒状構造を形成するための第２の複数のパネルを備え、前記ブランクは、第２の梱包容器を形成するために第２の筒状構造の各端部を少なくとも部分的に閉鎖するための１つまたは複数の端部閉鎖パネルを備え、前記ブランクは、組み立てられた状態の第２の梱包容器をディスプレー装置から引き出すための第２の端部プルデバイスを備え、第２の端部プルデバイスは、第２の筒状構造の前記１つまたは複数の端部閉鎖パネルへのアクセスを容易にするために、第２の筒状構造の前記１つまたは複数の端部閉鎖パネルの側縁から打ち抜かれた第２の凹部を備え、前記第１の複数のパネルは、前記第２の複数のパネルに脆弱的に連結されることを特徴とするブランク。
【発明の詳細な説明】
【技術分野】
【０００１】
本発明は、１つまたは複数の物品を梱包するカートンと、これを形成するためのカートンブランクとに関し、より具体的には、だが限定することなく、棚からのカートンの引き出しを容易にするプルデバイスを有するカートンに関する。
【背景技術】
【０００２】
梱包の分野において、消費者に複数の主製品容器を備える梱包を提供する必要がよくある。このようなマルチパックは、出荷及び分配のために、かつ、販売促進情報の表示のために好ましい。コスト及び環境意識のために、このようなカートンまたはキャリアは、可能な限りカートンを形成する材料の無駄を少なくするように、可能な限り少ない材料から形成される必要がある。別の考慮すべき点は、重い物品を保持し、輸送するための梱包の強度及びその適合性である。
【０００３】
マルチパックに、限定はしないが端部プルデバイスなどの機構を設けることが所望され、これにより、複数の梱包容器が、棚または別のディスプレー手段の上方に近接して積まれた状態で配置されている際に、消費者が、積まれたものから梱包容器の１つを容易に滑動することができる。
【発明の概要】
【発明が解決しようとする課題】
【０００４】
本発明は、先行技術の問題を解消する、または、少なくとも軽減することを課題とする。
【課題を解決するための手段】
【０００５】
本発明の第１の態様によると、第１の筒状構造を形成する、頂壁、底壁、第１の側壁及び第２の側壁を含む、第１の複数の壁を含む、物品を梱包するためのカートンが提供され、第１の筒状構造の各端部は、１つまたは複数の端部閉鎖パネルによって少なくとも部分的に閉じられており、カートンは、ディスプレー装置からカートンを引き出すための端部プルデバイスを備え、端部プルデバイスは、１つまたは複数の端部閉鎖パネルから打ち抜かれた第１の凹部を備え、これにより、１つまたは複数の端部閉鎖パネルへのアクセスを容易にする。
【０００６】
必要に応じて、端部プルデバイスは、第２の端部閉鎖パネルの側縁から打ち抜かれる第２の凹部を備える。
【０００７】
必要に応じて、第２の端部閉鎖パネルは、第１の端部閉鎖パネルと少なくとも部分的に重なる関係で配置される。
【０００８】
ある実施形態では、第１の凹部は、第２の凹部と少なくとも部分的に揃うように重なる関係で配置される。
【０００９】
必要に応じて、第１の側壁パネルまたは第２の側壁パネルの１つは、カートンのどの他の部分とも連結されない自由端縁を備える。第１の凹部は、自由端縁と隣接して位置し、これより、自由端縁は、第１凹部を通じて可視であり得る。
【００１０】
ある実施形態では、カートンは、第２の筒状構造を形成する、頂壁、底壁、第１の側壁及び第２の側壁を含む、第２の複数の壁を備えており、第２の筒状構造の各端部は、１つまたは複数の端部閉鎖パネルによって少なくとも部分的に閉じられており、カートンは、ディスプレー装置からカートンを引き出すための第２の端部プルデバイスを備え、第２の端部プルデバイスは、第２の筒状構造の１つまたは複数の端部閉鎖パネルから打ち抜かれた第２の凹部を備え、これにより、第２の筒状構造の１つまたは複数の端部閉鎖パネルへのアクセスが容易になる。
【００１１】
必要に応じて、第２の筒状構造の頂壁は、脆弱連結によって第１の筒状構造の頂壁に結合され、第１の筒状構造は、第１の梱包容器の一部を形成し、第２の筒状構造は、第２の梱包容器の一部を形成し、第１の梱包容器は、第２の梱包容器から取り外し可能である。
【００１２】
第１の端部プルデバイスは、カートンの第１の端部に配置され、第２の端部プルデバイスは、カートンの第２の端部に配置され、第２の端部は、第１の端部に対向している。
【００１３】
必要に応じて、第１の梱包容器の第２の側壁パネルと、第２の梱包容器の第２の側壁パネルとは、互いに面接触する関係で配置され、カートン内に受容される物品の２つの隣接する列の間の内部分割構造を形成する
【００１４】
好ましくは、第１の梱包容器の第２の側壁パネルと、第２の梱包容器の第２の側壁パネルとは、接着剤または他の接着処理によって互いに固定される。
【００１５】
ある実施形態では、接着剤は、第１の梱包容器の第２の側壁パネル上に、かつ／または、第１の梱包容器及び第２の梱包容器の底壁によって形成される、カートンの底壁に隣接する、第２の梱包容器の第２の側壁パネル上に配置される。
【００１６】
本発明の第２の態様によると、第１の筒状構造を形成する、頂壁、底壁、第１の側壁及び第２の側壁を含む、第１の複数の壁を含む、物品を梱包するためのカートンが提供され、第１の筒状構造の各端部は、１つまたは複数の端部閉鎖パネルによって少なくとも部分的に閉じられて第１の梱包容器を形成し、カートンは、ディスプレー装置から第１の梱包容器を引き出すための第１の端部プルデバイスをさらに備え、第１の端部プルデバイスは、第１の筒状構造の１つまたは複数の端部閉鎖パネルから打ち抜かれた第１の凹部を備え、これにより、第１の筒状構造の１つまたは複数の端部閉鎖パネルへのアクセスが容易にし、カートンは、第２の筒状構造を形成する、頂壁、底壁、第１の側壁及び第２の側壁を含む、第２の複数の壁をさらに備え、第２の筒状構造に各端部は、１つまたは複数の端部閉鎖パネルによって少なくとも部分的に閉じられて第２の梱包容器を形成し、カートンは、ディスプレー装置から第２の梱包容器を引き出すための第２の端部プルデバイスをさらに備え、第２の端部プルデバイスは、第２の筒状構造の１つまたは複数の端部閉鎖パネルから打ち抜かれた第２の凹部を備え、これにより、第２の筒状構造の１つまたは複数の端部閉鎖パネルへのアクセスが容易にし、第１の梱包容器は、第２の梱包容器に脆弱的に連結される。
【００１７】
必要に応じて、端部プルデバイス装置は、第１の筒状構造の第２の端部閉鎖パネルの側縁から打ち抜かれる第３の凹部を備える。
【００１８】
必要に応じて、第１の筒状構造の第２の端部閉鎖パネルは、第１の筒状構造の第１の端部閉鎖パネルと少なくとも部分的に重なる関係で配置される。
【００１９】
必要に応じて、第３の凹部は、第１の凹部と少なくとも部分的に揃うように重なる関係で配置される。
【００２０】
端部プルデバイスは、第２の筒状構造の第２の端部閉鎖パネルの側縁から打ち抜かれる第４の凹部を備える。
【００２１】
必要に応じて、第２の筒状構造の第２の端部閉鎖パネルは、第２の筒状構造の第１の端部閉鎖パネルと少なくとも部分的に重なる関係で配置される。
【００２２】
必要に応じて、第４の凹部は、第２の凹部と少なくとも部分的に揃うように重なる関係で配置される。
【００２３】
第１の端部プルデバイスは、カートンの第１の端部に配置され、第２の端部プルデバイスは、カートンの第２の端部に配置され、第２の端部は、第１の端部に対向している。
【００２４】
本発明の第３の態様によると、カートンを形成するためのブランクが提供され、ブランクは、頂壁、底壁、第１の側壁及び第２の側壁を含む、組み立てられた状態において第１の筒状構造を形成するための第１の複数のパネルを備え、ブランクは、第１の梱包容器を形成するために第１の筒状構造の各端部を少なくとも部分的に閉鎖するための１つまたは複数の端部閉鎖パネルを備え、ブランクは、ディスプレー装置から組み立てられたカートンを引き出すための端部プルデバイスを備え、端部プルデバイスは、第１の端部閉鎖パネルの縁へのアクセスを容易にするために、第１の端部閉鎖パネルの端部から打ち抜かれた第１の凹部を備える。
【００２５】
本発明の第４の態様によると、カートンを形成するためのブランクが提供され、ブランクは、頂壁、底壁、第１の側壁及び第２の側壁を含む、組み立てられた状態において第１の筒状構造を形成するための第１の複数のパネルを備え、ブランクは、第１の梱包容器を形成するために第１の筒状構造の各端部を少なくとも部分的に閉鎖するための１つまたは複数の端部閉鎖パネルを備え、ブランクは、ディスプレー装置から組み立てられたカートンを引き出すための端部プルデバイスを備え、端部プルデバイスは、第１の端部閉鎖パネルの縁へのアクセスを容易にするために、第１の端部閉鎖パネルの端部から打ち抜かれた第１の凹部を備え、ブランクは、頂壁、底壁、第１の側壁及び第２の側壁を含む、組み立てられた状態において第２の筒状構造を形成するための第２の複数のパネルを備え、ブランクは、第２の梱包容器を形成するために第２の筒状構造の各端部を少なくとも部分的に閉鎖するための１つまたは複数の端部閉鎖パネルを備え、ブランクは、組み立てられた状態の第２の梱包容器をディスプレー装置から引き出すための第２の端部プルデバイスを備え、第２の端部プルデバイスは、第２の筒状構造の１つまたは複数の端部閉鎖パネルへのアクセスを容易にするために、第２の筒状構造の１つまたは複数の端部閉鎖パネルの側縁から打ち抜かれた第２の凹部を備え、第１の複数のパネルは、第２の複数のパネルに脆弱的に連結される。
【００２６】
本願の範囲内で、上記の段落、特許請求の範囲、及び／または、下記説明及び図面において開示される様々な態様、実施形態、例、特徴、及び、変形は、個々に、または、これらの任意に組み合わせにおいて採用され得る。例えば、一実施形態に関連して説明された特徴は、特徴の非整合性がない限り、全ての実施形態に適用可能である。
【００２７】
ここで本発明の例示的実施形態を、添付図を参照に説明する。
【図面の簡単な説明】
【００２８】
【図１】本発明の第１の実施形態におけるカートンを形成するブランクの上からの平面図である。
【図２】図１のブランクから形成されるカートンの上からの斜視図である。
【図３】図２のカートンの端部分の上からの斜視図である。
【図４】図２のカートンの端部分の上からの斜視図である。
【図５】図２に記載のカートンから形成される一対の梱包容器の上からの斜視図である。
【図６】図４の一対の梱包容器の端部分の上からの斜視図であり、使用者がある梱包箱を別の梱包箱に対して引き出しているところを図示している。
【図７】図２のカートンから形成された梱包容器の上からの斜視図である。
【発明を実施するための形態】
【００２９】
梱包、ブランク、及び、カートンの特定の実施形態の詳細な説明が、本明細書で開示される。開示される実施形態は、単に、実施され得る本発明のある態様における方法例であり、本発明が実施される全ての方法の包括的なリストを示すものではない。本願で使用される、「例示的」との用語は、実例、見本、モデル、または、パターンとして役立つ実施形態を意味するように拡張的に使用される。実際に、本願で説明されるパッケージ、ブランク、及び、カートンは、様々な、かつ、代わりの形において実施され得る。図は、スケールされる必要がなく、ある機構は、拡大または省略され、特定の部分の詳細を示す。公知の構成部分、材料、及び方法は、本願の開示事項の邪魔になることを避けるために、詳細に説明する必要はない。本願で説明されるいかなる特定の構造的かつ機能的な詳細もそれに限定するように解釈されるべきではなく、単に請求項の基として、また、当業者が様々に本発明を採用することを教示する見本的な基として解釈されるべきである。
【００３０】
図１を参照すると、例えば、しかし、限定することなく、以下では物品と称される、ボトルまたは缶などの１つまたは複数の主製品を梱包するための図２に示されるカートン９０を形成することができるブランク１０の平面図が示される。
【００３１】
本願で説明される実施形態では、「カートン」及び「キャリア」との用語は、本発明の様々な機構を図示することが限定されない目的ために、製品容器などの物品を係合、運搬、かつ／または分配するための容器を意味する。本発明の教示は、先細の、かつ／または円筒状であってもなくてもよい、様々な製品容器に適用され得ることが考えられる。例示的な容器は、ボトル（例えば金属、ガラス、またはプラスチックのボトル）、缶（例えばアルミ缶）、ブリキ缶、ポーチ、包み、及び同類物を含む。
【００３２】
ブランクは、適切な基材のシートから形成される。本願で使用される、「適切な基材」との用語は、板紙、波形板、ボール紙、プラスチック、これらの組み合せ、及び、同類物などの折り畳み可能なシート材のあらゆる種類を含むことが認識されるべきである。例えば、下記のより詳細に説明されるキャリア構造を構成するのに適するように１つまたは複数のブランクが採用され得ることが認識されるべきである。
【００３３】
例示的な実施形態では、ブランクは、例示的に配置された例示的な物品を梱包するためのカートンまたはキャリアを形成するように構成される。初めに図示された例示的な実施形態では、配置は２×３のマトリックスまたは列であり、物品は缶である。または、ブランクは、他のタイプ、数、及びサイズの物品を梱包するため、かつ／または、異なる配置または構成において物品を梱包するためのキャリアを形成するように構成され得る。
【００３４】
ブランク１０は、カートン９０を形成するための複数のパネルを備える。カートン９０は、２つの分離したカートンまたは梱包容器に分割できる。ブランク１０のパネルの第１セットＰ１は、第１のカートンまたは第１の梱包容器を形成し、ブランク１０のパネルの第２セットＰ２は、第２のカートンまたは第１の梱包容器を形成する。
【００３５】
ブランク１０は、第１の梱包容器を形成するための複数のメイン壁パネル１２、１４、１６、１８、２０を備える。第１の梱包容器は、組み立てられた状態で、第１のまたは内側の頂壁１２、第１の側壁１４、底壁１６、第２の側壁１８、及び、第２のまたは外側の頂壁２０を備える。  内側の頂壁パネル１２は、折り目１１によって第１の側壁パネル１４にヒンジ連結される。第１の側壁パネル１４は、折り目１３によって底壁パネル１６にヒンジ連結される。  底壁パネル１６は、折り目１５によって第２の側壁パネル１８にヒンジ連結される。外側の頂壁パネル２０は、折り目１７によって第２の側壁パネル１８にヒンジ連結される。
【００３６】
ブランク１０は、第２の梱包容器を形成するための複数のメイン壁パネル２２、２４、２６、２８、３０を備える。第２の梱包容器は、組み立てられた状態で、第１のまたは内側の頂壁３０、第１の側壁２８、底壁２６、第２の側壁２４、及び、第２のまたは外側の頂壁２２を備える。外側の頂壁パネル２２は、折り目２１によって第２の側壁パネル２４にヒンジ連結される。第２の側壁パネル２４は、折り目２３によって底壁パネル２６にヒンジ連結される。底壁パネル２６は、折り目２５によって第１の側壁パネル２８にヒンジ連結される。内側の頂壁パネル３０は、折り目２７によって第１の側壁パネル２８にヒンジ連結される。
【００３７】
第１の梱包容器の複数のメインパネル１２、１４、１６、１８、２０は、組み立てられた状態において筒状構造を形成する。第１の梱包容器の筒状構造の両端部それぞれは、端部閉鎖パネル３２ａ、３４ａ、３６ａ、３８ａ、３２ｂ、３４ｂ、３６ｂ、３８ｂによって少なくとも部分的に閉じられる。端部閉鎖パネル３２ａ、３４ａ、３６ａ、３８ａは、筒状構造の第１の端部を閉じるように構成され、端部閉鎖パネル３２ｂ、３４ｂ、３６ｂ、３８ｂは、筒状構造の第２の端部を閉じるように構成される。第１の端部閉鎖パネル３２ａは、一対の弓形折り目３１ａによって内側の頂壁パネル１２の第１の端部にヒンジ連結される。第２の端部閉鎖パネル３４ａは、折り目３３ａによって底壁パネル１６の第１の端部にヒンジ連結される。第３の端部閉鎖パネル３６ａは、折り目３５ａによって第２の側壁パネル１８の第１の端部にヒンジ連結される。第４の端部閉鎖パネル３８ａは、折り目３７ａによって外側の頂壁パネル２０の第１の端部にヒンジ連結される。
【００３８】
第５の端部閉鎖パネル３２ｂは、一対の弓形折り目３１ｂによって内側の頂壁パネル１２の第２の端部にヒンジ連結される。第６の端部閉鎖パネル３４ｂは、折り目３３ｂによって底壁パネル１６の第２の端部にヒンジ連結される。第７の端部閉鎖パネル３６ｂは、折り目３５ｂによって第２の側壁パネル１８の第２の端部にヒンジ連結される。第８の端部閉鎖パネル３８ｂは、折り目３７ｂによって外側の頂壁パネル２０の第２の端部にヒンジ連結される。
【００３９】
第３の端部閉鎖パネル３６ａ及び第７の端部閉鎖パネル３６ｂそれぞれは、副側端部閉鎖パネルを形成する。第２の端部閉鎖パネル３４ａ及び第６の端部閉鎖パネル３４ｂそれぞれは、主下端部側閉鎖パネルを形成する。第１の端部閉鎖パネル３２ａと伴に第４の端部閉鎖パネル３８ａは、主上端部閉鎖パネルを形成する。第５の端部閉鎖パネル３２ｂと伴に第８の端部閉鎖パネル３８ｂもまた、主上端部閉鎖パネルを形成する。
【００４０】
第２の梱包容器の複数のメインパネル２２、２４、２６、２８、３０は、組み立てられた状態において筒状構造を形成する。第２の梱包容器の筒状構造の両端部それぞれは、端部閉鎖パネル４０ａ、４２ａ、４４ａ、４６ａ、４０ｂ、４２ｂ、４４ｂ、４６ｂによって少なくとも部分的に閉じられる。端部閉鎖パネル４０ａ、４２ａ、４４ａ、４６ａは、筒状構造の第１の端部を閉じるように構成され、端部閉鎖パネル４０ｂ、４２ｂ、４４ｂ、４６ｂは、筒状構造の第２の端部を閉じるように構成される。第１の端部閉鎖パネル４０ａは、折り目３９ａによって第２のまたは外側の頂壁パネル２２の第１の端部にヒンジ連結される。第２の端部閉鎖パネル４２ａは、折り目４１ａによって第２の側壁パネル２４の第１の端部にヒンジ連結される。第３の端部閉鎖パネル４４ａは、折り目４３ａによって底壁パネル２６の第１の端部にヒンジ連結される。第４の端部閉鎖パネル４６ａは、一対の弓形折り目４７ａによって内側の頂壁パネル３０の第１の端部にヒンジ連結される。
【００４１】
第５の端部閉鎖パネル４０ｂは、折り目３９ｂによって外側の頂壁パネル２２の第２の端部にヒンジ連結される。第６の端部閉鎖パネル４２ｂは、折り目４１ｂによって第２の側壁パネル２４の第２の端部にヒンジ連結される。第７の端部閉鎖パネル４４ｂは、折り目４３ｂによって底壁パネル２６の第２の端部にヒンジ連結される。第８の端部閉鎖パネル４６ｂは、一対の弓形折り目４７ｂによって内側の頂壁パネル３０の第２の端部にヒンジ連結される。
【００４２】
第１の梱包容器の外側の頂壁パネル２０は、脆弱線１９によって第２の梱包容器の外側の頂壁パネル２２に結合される。第１の梱包容器の外側の頂壁パネル２０と、第２の梱包容器の外側の頂壁パネル２２とは、カートン９０の共通の頂壁２０／２２を形成する。
【００４３】
第１の梱包容器の第２の側壁パネル１８は、カートン９０の第１の外側パネル１８を形成する。第２の梱包容器の第２の側壁パネル２４は、カートン９０の第２の外側パネル２０を形成する。
【００４４】
第１の梱包容器の底壁パネル１６は、カートン９０のベース壁１６／２６の第１の部分１６を形成する。第１の梱包容器の底壁パネル２６は、カートン９０のベース壁１６／２６の第２の部分２６を形成する。
【００４５】
第１の梱包容器の端部閉鎖パネル３２ａ、３４ａ、３６ａ、３８ａと、第２の梱包容器の端部閉鎖パネル４０ａ、４２ａ、４４ａ、４６ａとは、カートン９０の第１の端部壁を形成する。
【００４６】
第１の梱包容器の端部閉鎖パネル３２ｂ、３４ｂ、３６ｂ、３８ｂと、第２の梱包容器の端部閉鎖パネル４０ｂ、４２ｂ、４４ｂ、４６ｂとは、カートン９０の第２の端部壁を形成する。
【００４７】
第１の梱包容器の第１の側壁パネル１４と、第２の梱包容器の第１の側壁パネル２８とは、組み立てられたカートン９０において内部分割構造を形成する。内部分割構造は、第１の梱包容器内に配置された第１の列の物品を第２の梱包容器内に配置された第２の列の物品から分離する。
【００４８】
ブランク１０は、一対のハンドル構造Ｈ１、Ｈ２を備える。第１のハンドル構造Ｈ１は、切断線６４によって部分的に画定される一対の細長いタブ６０、６２を備える第１の梱包容器に設けられる。切断線６４は、第２の側壁パネル１８の横方向に亘って、かつ、底壁パネル１６及び外側の頂壁パネル２０のそれぞれ内に延在する。第１の細長いタブ６０は、切断線６４と離間した平行な関係で配置される第１の折り目６３によって部分的に画定される。第２の細長いタブ６２は、切断線６４と離間した平行な関係で配置される第２の折り目６５によって部分的に画定される。第１及び第２の折り目６３、６５は、切断線６４の両側に配置される。第１の弓形のカットライン６１は、第１及び第２の細長いタブ６０、６２のそれぞれの第１の端部を画定する。第１の弓形のカットライン６１は、切断線６４に亘って、第１の折り目６３の第１の端部と第２の折り目６５の第１の端部との間に延在する。第２の弓形のカットライン６７は、第１及び第２の細長いタブ６０、６２のそれぞれの第２の端部を画定する。第２の弓形のカットライン６７は、切断線６４に亘って、第１の折り目６３の第２の端部と第２の折り目６５の第２の端部との間に延在する。
【００４９】
ハンドル構造Ｈは、切断弱化線６４の第１の端部に一対の折り目６９ａ、６９ｂを備える。切断線６４の第１の端部は、底壁パネル１６内に配置され、「Ｖ」形状のカットラインで終端し、「Ｖ」形状のカットラインの各アームが頂点を形成し、頂点は、切断線６４の第１の端部に配置されている。
【００５０】
第１の折り目６９ａは、底壁パネル１６と第２の側壁パネル１８との間の折り目１５に向かって「Ｖ」形状のカットラインの第１の端部から始まる。第２の折り目６９ｂは、底壁パネル１６と第２の側壁パネル１８との間の折り目１５に向かう「Ｖ」形状のカットラインの第２の端部から始まる。第１及び第２の折り目６９ａ、６９ｂは、「Ｖ」形状のカットラインと共に、切断線６４の第１の端部に収束する「Ｖ」形状を形成する。
【００５１】
ハンドル構造Ｈは、切断弱化線６４の第２の端部に折り目６８ａ、６８ｂの第２の対を備える。切断弱化線６４の第２の端部は、外側の頂壁パネル２０内に配置され、かつ、「Ｖ」形状のカットラインで終端し、「Ｖ」形状のカットラインの各アームが頂点を形成し、頂点は、切断線６４の第２の端部に配置されている。
【００５２】
第３の折り目６８ａは、外側の頂壁パネル２０と第２の側壁パネル１８との間の折り目１７に向かって「Ｖ」形状のカットラインの第１の端部から始まる。第４の折り目６８ｂは、外側の頂壁パネル２０と第２の側壁パネル１８との間の折り目１７に向かって「Ｖ」形状のカットラインの第２の端部から始まる。第３及び第４の折り目６８ａ、６８ｂは、「Ｖ」形状のカットラインと共に、切断線６４の第２の端部に収束する「Ｖ」形状を形成する。
【００５３】
第２のハンドル構造Ｈ２は、第１のハンドル構造Ｈ１での構築と略同様に、第２の梱包容器に設けられる。
【００５４】
ブランク１０は、一対のアクセスデバイスＤ１、Ｄ２を備える。第１のアクセスデバイスＤ１は、ブランク１０の第１の梱包容器を形成する部分に設けられる。第２のアクセスデバイスＤ２は、ブランク１０の第２の梱包容器を形成する部分に設けられる。
【００５５】
第２のアクセスデバイスＤ２は、第２の梱包容器の第２の側壁パネル２８の一部分５６の除去のために設けられる。この部分５６の除去は、第２の梱包容器の内容物へのアクセスを容易にする。
【００５６】
第２のアクセスデバイスＤ２は、第１の側壁パネル２８の除去部分５６を少なくとも部分的に画定する複数の切断弱化線５１、５３、５４を備える。複数の切断弱化線５１、５３、５４は、底壁パネル２６と第１の側壁パネル２８との間の折り目２５の一部分に沿って第１の側壁パネル２８の末端縁から延在する、第１の切断弱化線５３；第１の側壁パネル２８から第１の側壁パネル２８と内側の頂壁パネル３０との間の折り目２７に亘って、第１の切断弱化線５３の端部から延在する、第２の切断弱化線５４；及び、第１の側壁パネル２８と内側の頂壁パネル３０との間で、折り目２７の一部分に沿って第２の切断弱化線５４の端部から第１の側壁パネル２８の末端縁に延在する、第３の切断弱化線５１を含む。
【００５７】
アクセスデバイスＤ２は、第２の切断弱化線５４によって部分的に、かつ、折り目５２によって部分的に画定される、追加的なティアー開始タブ５０を備える。ティアー開始タブ５０は、折り目５２によって第１の側壁パネル２８の除去可能部分５６にヒンジ連結される。ティアー開始タブ５０は、除去可能部分５６に沿って第２の梱包容器から取り外し可能である。
【００５８】
ブランク１０は、一対の端部プルデバイスＥを備える。図２〜５を参照。第１の梱包容器は、第１の凹部Ｒ１及び第２の凹部Ｒ２を備える、第１の端部プルデバイスＥを備える。第１の凹部Ｒ１は、第２の端部閉鎖パネル３４ａの第１の側端から打ち抜かれる。  第２の凹部Ｒ２は、第４の端部閉鎖パネル３８ａの第１の側端から打ち抜かれる。第１の凹部Ｒ１及び第２の凹部Ｒ２は、ブランク１０がカートン９０に組み立てられ、第４の端部閉鎖パネル３８ａが第２の端部閉鎖パネル３４ａと重なる関係に位置した際に、第１の凹部Ｒ１の少なくとも一部が、第２の凹部Ｒ２の少なくとも一部と同じ位置に配置される。
【００５９】
必要に応じて、第２の端部閉鎖パネル３４ａは、先細形状である。第２の端部閉鎖パネル３４ａは、第１の凹部Ｒ１が打ち抜かれる第１の側端に対向する第２の側端を備える。第１の側端は、第２の側端に向かって収束するように配置される。これにより、第２の端部閉鎖パネル３４ａの自由端縁は、第１の梱包容器の底壁パネル１６にヒンジ連結される、ヒンジ連結された末端縁より長さが短くなる。
【００６０】
必要に応じて、第４の端部閉鎖パネル３８ａは、先細形状である。第４の端部閉鎖パネル３８ａは、第２の凹部Ｒ２が打ち抜かれる第１の側端に対向する第２の側端を備える。第１の側端は、第２の側端に向かって収束するように配置される。これにより、第４の端部閉鎖パネル３８ａの自由端縁は、第１の梱包容器の外側の頂壁パネル２０にヒンジ連結される、ヒンジ連結された末端縁より長さが短くなる。
【００６１】
第２の端部閉鎖パネル３４ａの第１の側端は、組み立てられたカートンにおいて第４の端部閉鎖パネル３８ａの第１の側端と連続するように配置される。
【００６２】
ある実施形態では、第４及び第２の端部閉鎖パネル３８ａ、３４ａは、弓形である。別の実施形態では、第４及び第２の端部閉鎖パネル３８ａ、３４ａの第１の側端が直線であり得ることが理解できるだろう。第４及び第２の端部閉鎖パネル３８ａ、３４ａの第１の側端が直線であるこれらの実施形態のいくつかにおいて、第１の側端は、第２の側端に略平行、かつ／または、それぞれ折り目１３または脆弱線１９に略平行であり、このような実施形態では、第１の側端は、折り目１３または脆弱線１９に対してずれている。第４及び第２の端部閉鎖パネル３８ａ、３４ａは、このような実施形態においては先細でなくてもよい。
【００６３】
第２の梱包容器は、第３の凹部Ｒ３及び第４の凹部Ｒ４を備える、第２の端部プルデバイスＥを備える。第３の凹部Ｒ３は、第５の端部閉鎖パネル４０ｂの第１の側端から打ち抜かれる。第４の凹部Ｒ４は、第７の端部閉鎖パネル４４ｂの第１の側端から打ち抜かれる。第３の凹部Ｒ３及び第４の凹部Ｒ４は、ブランク１０がカートン９０に組み立てられ、第５の端部閉鎖パネル４０ｂが第７の端部閉鎖パネル４４ｂと重なる関係に位置した際に、第３の凹部Ｒ３の少なくとも一部が、第４の凹部Ｒ４の少なくとも一部と同じ位置に配置される。
【００６４】
必要に応じて、第５の端部閉鎖パネル４０ｂは、先細形状である。第５の端部閉鎖パネル４０ｂは、第３の凹部Ｒ３が打ち抜かれる第１の側端に対向する第２の側端を備える。第１の側端は、第２の側端に向かって収束するように配置される。これにより、第５の端部閉鎖パネル４０ｂの自由端縁は、第２の梱包容器の外側の頂壁パネル２２にヒンジ連結される、ヒンジ連結された末端縁より長さが短くなる。
【００６５】
必要に応じて、第７の端部閉鎖パネル４４ｂは、先細形状である。第７の端部閉鎖パネル４４ｂは、第４の凹部Ｒ４が打ち抜かれる第１の側端に対向する第２の側端を備える。第１の側端は、第２の側端に向かって収束するように配置される。これにより、第７の端部閉鎖パネル４４ｂの自由端縁は、第２の梱包容器の底壁パネル２６にヒンジ連結される、ヒンジ連結された末端縁より長さが短くなる。
【００６６】
第５の端部閉鎖パネル４０ｂの第１の側端は、組み立てられたカートンにおいて第７の端部閉鎖パネル４４ｂの第１の側端と連続するように配置される。
【００６７】
ある実施形態では、第５及び第７の端部閉鎖パネル４０ｂ、４４ｂは、弓形である。別の実施形態では、第５及び第７の端部閉鎖パネル４０ｂ、４４ｂの第１の側端が直線であり得ることが理解できるだろう。第５及び第７の端部閉鎖パネル４０ｂ、４４ｂの第１の側端が直線であるこれらの実施形態のいくつかにおいて、第１の側端は、第２の側端に略平行、かつ／または、それぞれ折り目２５または脆弱線１９に略平行であり、このような実施形態では、第１の側端は、折り目２５または脆弱線１９に対してずれている。第５及び第７の端部閉鎖パネル４０ｂ、４４ｂは、このような実施形態においては先細でなくてもよい。
【００６８】
ある実施形態では、梱包された物品は、略円形の断面図を有する、すなわち、物品は、第１及び第２の側壁パネル１４、２８、１８、２４に略平行に配向される筒の軸を有する、少なくとも部分的に円筒形である。  これらの実施形態では、ボイドが端部プルデバイスＥに隣接する梱包容器の角に設けられる。ボイドまたは隙間は、梱包容器内の一番端の物品と末端壁との間、かつ／または、梱包容器内の一番端の物品と側壁との間に設けられる。このボイドは、梱包容器に指または親指を挿入することを容易にする。
【００６９】
第１の梱包容器の第１の側壁パネル１４は、自由端縁を備える、すなわち、第１の側壁パネル１４の末端縁にヒンジ連結される端部閉鎖パネルは存在しない。第２の梱包容器の第１の側壁パネル２８は、自由端縁を備える、すなわち、第１の側壁パネル２８の末端縁にヒンジ連結される端部閉鎖パネルは存在しない。別の実施形態では、第１の梱包容器の第１の側壁パネル１４と、第２の梱包容器の第１の側壁パネル２８とは、それぞれの末端縁にヒンジ連結される小さな端部閉鎖パネルを備え得る。小さな端部閉鎖パネルを備える実施形態では、小さな端部閉鎖パネルは、隣接する大きな上端部または下端部閉鎖パネルの側端へのアクセスを容易にする。例えば、だが限定することなく、小さな端部閉鎖パネルは、孔または凹部を備え得、或いは、小さな端部閉鎖パネルは、頂壁と底壁との間全体に延在しなくてもよく、すなわち、小さな端部閉鎖パネルは、それがヒンジ連結される側壁より高さが小さくてもよい。
【００７０】
図２、図３、及び図４に図示されるように、カートン９０の構築を見ると、カートン９０が直線機械において一連の連続する折り曲げ作業によって形成され得、これにより、カートン９０は、その構築を完成するために回転したり、ひっくり返したりする必要がないことが想定できる。折り曲げる工程は、下記に説明されるものに限定されず、特定の製造要求に応じて変更され得る。
【００７１】
カートン９０を形成するために、第１の段階では、折り目１１で内側の頂壁パネル１２を折り曲げて、第１の梱包容器の内側の頂壁パネル１２を第１の側壁パネル１４と面接触する関係にするように、ブランク１０が折り曲げる。
【００７２】
第２の梱包容器の内側の頂壁パネル３０を第１の側壁パネル２８と面接触する関係にするように、第２の梱包容器の内側の頂壁パネル３０が折り目２７で折り曲げられる。
【００７３】
接着剤または他の接着処理が、第１の梱包容器の内側の頂壁パネル１２に塗布される。
【００７４】
接着剤または他の接着処理が、第２の梱包容器の内側の頂壁パネル３０に塗布される。
【００７５】
別の実施形態では、接着剤または他の接着処理が、第１及び第２の梱包容器の外側の頂壁パネル２０、２２のそれぞれの対応する部分にそれぞれ塗布される。
【００７６】
第１の梱包容器の内側の頂壁パネル１２、第１の側壁パネル１４、及び、底壁パネル１６は、底壁パネル１６が第２の側壁パネル１８と重なる関係になるように折り目１５で折り曲げられる。これにより、内側の頂壁パネル１２が外側の頂壁パネル２０と面接触する関係になる。第１の梱包容器の第１の側壁パネル１４に圧力をかけて、内側の頂壁パネル１２を外側の頂壁パネル２０に固定し得る。
【００７７】
第２の梱包容器の内側の頂壁パネル３０、第１の側壁パネル２８、及び、底壁パネル２６は、底壁パネル２６が第２の側壁パネル２４と重なる関係になるように折り目２３で折り曲げられる。これにより、内側の頂壁パネル３０が外側の頂壁パネル２２と面接触する関係になる。第２の梱包容器の第１の側壁パネル２８に圧力をかけて、内側の頂壁パネル３０を外側の頂壁パネル２２に固定し得る。
【００７８】
接着剤または他の接着処理が、第１の梱包容器の第１の側壁パネル１４、及び／または、第２の梱包容器の第１の側壁パネル２８に塗布される。
【００７９】
ブランク１０は、次いで、脆弱線１９で折り曲げられ、第１の梱包容器の第１の側壁パネル１４が、第２の梱包容器の第１の側壁パネル２８と接触する関係になる。
【００８０】
別の実施形態では、第２の梱包容器の第２の側壁パネル２４が、折り目２１で外側の頂壁パネル２２に対して折り曲げられ得る。同時に、第１の側壁パネル２８は、折り目２７で第１の側壁パネル２８を開くことによって内側の頂壁パネル３０に対して折り曲げられ得る。底壁パネル２６は、折り目２５で折り曲げることによって第１の側壁パネル２８に対して折り曲げられ、底壁パネル２６を第１の側壁パネル２８と面接触する関係に配置し得る。同時に、底壁パネル２６は、底壁パネル２６を折り目２３で開くことによって、第２の側壁パネル２４に対して折り曲げられ得る。これにより、ブランク１０の第２の梱包容器を形成する部分は、平坦に潰れた状態に折り曲げられ、同様に平坦に潰れた状態に折り曲げられる、ブランク１０の第１の梱包容器を形成する部分を覆う。このことは、それが変換工場に配送され分配され得る、平坦に潰れた状態におけるカートン９０を形成する。この代替折り曲げ方法が、ブランク１０の第１の梱包容器を形成する部分を平坦に潰れた状態にし、これが同様に平坦に潰れた状態に折り曲げられる、ブランク１０の第２の梱包容器を形成する部分を覆うように容易に変形され得ることが理解できるだろう。これらの代替方法は、ブランクを脆弱線１９で折り曲がることを防止し、これにより、第１及び第２の梱包容器がカートン９０を組み立て、充填する間に分離することリスクを削減する。
【００８１】
カートン９０は、カートン９０の隣接する壁の対を係合し、この隣接する壁の対が互いに対して垂直に配置されるように隣接する壁の対を折り曲げることによって筒状構造に立てられ得る。
【００８２】
立てられた筒状構造には、各梱包容器の一方または両方の開口端を通して物品を入れられる。１つまたは複数の端部閉鎖パネル３２ａ、３４ａ、３６ａ、３８ａ、３２ｂ、３４ｂ、３６ｂ、３８ｂ、４０ａ、４２ａ、４４ａ、４６ａ、４０ｂ、４２ｂ、４４ｂ、４６ｂは、外側に折り曲げられて、じょうごとしての役割を果たし、カートン９０への物品の挿入を容易にし得る。
【００８３】
物品が、筒状構造内に充填されると、筒状構造の端部は閉じられる。第１の梱包容器の第１の端部は、折り目３５ａで第３の端部閉鎖パネル３６ａを折り曲げることによって閉じられる。接着剤または他の接着処理は、第２の端部閉鎖パネル３４ａの外側面に塗布され得る。別の実施形態では、接着剤または他の接着処理が、第１、２、及び４の端部閉鎖パネル３２ａ、３４ａ、３８ａの対応する領域の内側面に塗布され得る。第２の端部閉鎖パネル３４ａは、次いで、折り目３３ａで折り曲げられ、かつ、必要に応じて、第３の端部閉鎖パネル３６ａに固定される。接着剤または他の接着処理は、第２の端部閉鎖パネル３４ａの外側面に塗布され得る。別の実施形態では、接着剤または他の接着処理は、第４の端部閉鎖パネル３８ａ、及び／または、第２の端部閉鎖パネル３２ａの内側面に塗布される。第４の端部閉鎖パネル３８ａは、折り目３７ａで折り曲げられ、第２の端部閉鎖パネル３４ａと接触され、これにより、第４の端部閉鎖パネル３８ａの一部は、第２の端部閉鎖パネル３４ａの一部と重なる関係になり、そこに固定され貼られる。第４の端部閉鎖パネル３８ａの内側面に固定される第１の端部閉鎖パネル３２ａは、第４の端部閉鎖パネル３８ａが折り目３７ａで折り曲げられるのと同時に、弓形折り目３１ａで折り曲げられる。
【００８４】
第１の梱包容器の第２の端部は、折り目３５ｂで第７の端部閉鎖パネル３６ｂを折り曲げることによって閉じられる。接着剤または他の接着処理は、第７の端部閉鎖パネル３６ｂの外側面に塗布され得る。別の実施形態では、接着剤または他の接着処理が、第５、６、及び８の端部閉鎖パネル３２ｂ、３４ｂ、３８ｂの対応する領域の内側面に塗布され得る。第６の端部閉鎖パネル３４ｂは、次いで、折り目３３ｂで折り曲げられ、かつ、必要に応じて、第７の端部閉鎖パネル３６ｂに固定される。接着剤または他の接着処理は、第６の端部閉鎖パネル３４ｂの外側面に塗布される。別の実施形態では、接着剤または他の接着処理は、第８の端部閉鎖パネル３８ｂ、及び／または、第５の端部閉鎖パネル３２ｂの内側面に塗布される。第８の端部閉鎖パネル３８ｂは、折り目３７ｂで折り曲げられ、第６の端部閉鎖パネル３４ｂと接触され、これにより、第８の端部閉鎖パネル３８ｂの一部は、第６の端部閉鎖パネル３４ｂの一部と重なる関係になり、そこに固定され貼られる。第８の端部閉鎖パネル３８ｂの内側面に規定される第５の端部閉鎖パネル３２ｂは、第８の端部閉鎖パネル３８ｂが折り目３７ｂで折り曲げられるとの同時に、弓形折り目３１ｂで折り曲げられる。
【００８５】
第２の梱包容器の第１の端部は、折り目４１ａで第２の端部閉鎖パネル４２ａを折り曲げることによって閉じられる。接着剤または他の接着処理は、第２の端部閉鎖パネル４２ａの外側面に塗布され得る。別の実施形態では、接着剤または他の接着処理が、第１、３、及び４の端部閉鎖パネル４０ａ、４４ａ、４６ａの対応する領域の内側面に塗布され得る。第３の端部閉鎖パネル４４ａは、次いで、折り目４３ａで折り曲げられ、かつ、必要に応じて、第２の端部閉鎖パネル４２ａに固定される。接着剤または他の接着処理は、第３の端部閉鎖パネル４４ａの外側面に塗布され得る。別の実施形態では、接着剤または他の接着処理は、第１の端部閉鎖パネル４０ａ、及び／または、第４の端部閉鎖パネル４６ａの内側面に塗布される。第１の端部閉鎖パネル４０ａは、折り目３９ａで折り曲げられ、第３の端部閉鎖パネル４４ａと接触され、これにより、第１の端部閉鎖パネル４０ａの一部は、第３の端部閉鎖パネル４４ａの一部と重なる関係になり、そこに固定され貼られる。第１の端部閉鎖パネル４０ａの内側面に固定される第４の端部閉鎖パネル４６ａは、第１の端部閉鎖パネル４０ａが折り目３９ａで折り曲げられるのと同時に、弓形折り目４７ａで折り曲げられる。
【００８６】
第２の梱包容器の第２の端部は、折り目４１ｂで第６の端部閉鎖パネル４２ｂを折り曲げることによって閉じられる。接着剤または他の接着処理は、第６の端部閉鎖パネル４２ｂの外側面に塗布され得る。別の実施形態では、接着剤または他の接着処理が、第５、７、及び８の端部閉鎖パネル４０ｂ、４４ｂ、４６ｂの対応する領域の内側面に塗布され得る。第７の端部閉鎖パネル４４ｂは、次いで、折り目４３ｂで折り曲げられ、かつ、必要に応じて、第６の端部閉鎖パネル４２ｂに固定される。接着剤または他の接着処理は、第７の端部閉鎖パネル４４ｂの外側面に塗布され得る。別の実施形態では、接着剤または他の接着処理は、第５の端部閉鎖パネル４０ｂ、及び／または、第８の端部閉鎖パネル４６ｂの内側面に塗布される。第５の端部閉鎖パネル４０ｂは、折り目３９ｂで折り曲げられ、第７の端部閉鎖パネル４４ｂと接触され、これにより、第５の端部閉鎖パネル４０ｂの一部は、第７の端部閉鎖パネル４４ｂの一部と重なる関係になり、そこに固定され貼られる。第５の端部閉鎖パネル４０ｂの内側面に固定される第８の端部閉鎖パネル４６ｂは、第５の端部閉鎖パネル４０ｂが折り目３９ｂで折り曲げられるのと同時に、弓形折り目４７ｂで折り曲げられる。
【００８７】
ある実施形態では、筒状構造の一端部は、筒状構造の残りの開口端部を通して物品を充填する前に閉じられ得る。
【００８８】
図２、３、及び、４は、組み立てられたカートン９０を図示する。第３の凹部Ｒ３及び第４の凹部Ｒ４は、第５の端部閉鎖パネルが第７の端部閉鎖パネルと重なるように配置される際に揃えられる。第３の凹部Ｒ３に少なくとも一部は、第４の凹部の少なくとも一部と同じ位置に配置される。  第３の凹部Ｒ３と第４の凹部Ｒ４は、カートン９０の端壁内の略中央に配置される、端部プルデバイスＥを形成する。図２及び図３に最良に示されるように、端部プルデバイスＥは、第１の端部閉鎖パネル２８の自由端縁に隣接して配置され、これにより、自由端縁は、第３及び第４の凹部Ｒ３、Ｒ４を通して見える。
【００８９】
図５及び図６は、分離した状態における第１及び第２の梱包容器９１を図示する。小売業者は、第１の梱包容器が第２の梱包容器から分離するように脆弱線１９で切断し得る。第１の梱包容器の第１の側壁パネル１４が第２の梱包容器の第１の側壁パネル２８に接着された、これらの実施形態では、小売業者は、接着連結を切断または破断する。ある実施形態では、第１及び／または第２の梱包容器の第１の側壁パネル１４、２８は、ハーフカットのミシン目によって囲まれた１つまたは複数の接着箇所を備え得る。これにより、小売業者は、第１の側壁パネル１４、２８を形成する基材の外層またはスキンを容易に、制御可能に、かつ、きれいに破り得る。
【００９０】
小売業者が、第１の梱包容器を第２の梱包容器から分離すると、小売業者は、第１及び第２の梱包容器それぞれの端部プルデバイスが同一の方向を向くように、第１の梱包容器を第２の梱包容器に対して回転する。これにより、第１及び第２の梱包容器が棚（図示せず）、または、他のディスプレー装置に配置される際に、両方の端部プルデバイスは消費者Ｕに面する。これにより、消費者Ｕが棚から１つの梱包容器を引き出したい際に、消費者は、棚の上に配置された梱包容器の１つの端部プルデバイスＥを利用し得る。
【００９１】
図７は、第２の梱包容器９１を図示する。第１及び第２の梱包容器９１が分離されると、ディスペンサーＤ２は消費者に対してアクセス可能になることが理解できるだろう。
【００９２】
様々な変更が本発明の範囲内でなされ得ることが理解できるだろう。例えば、パネル及び孔のサイズ及び形状は、物品の異なるサイズまたは形状に適合するように調整され得る。本願で開示されたいずれの実施形態の端部プルデバイスＥは、分割可能でないカートンにおいて採用され得ることが理解できるだろう。
【００９３】
本願で使用されているような「上」、「下」、「前」、「後」、「端」、「側」、「内側」、「外側」、「上方」、及び「下方」などの方向指標は、このような配向にそれぞれのパネル限定する必要はなく、単にこれらのパネルをそれぞれから区別するのに役立ち得るものであることが認識されるだろう。
【００９４】
本願で使用されているような「ヒンジ連結」及び「折り目」との用語は、ブランクのヒンジ連結機構を画定するあらゆる種類の線を意味し、互いに対してブランクの一部を折り曲げること促進する、或いは、他の方法で、ブランクの最適なパネルの折り曲げ位置を示すものである。通常、折り目は、スコア線（scored line）、エンボスライン（embossed line）、デボスライン（debossed line）である。「ヒンジ連結」または「折り目」関係のものは全て、必ず単一の折り目のみを意味するように解釈されるべきではなく、ヒンジ連結は、本発明の範囲から逸脱することなく、任意の１つまたは複数の以下のもの、ショートスリット（short slit）、脆弱線、または、折り目、から形成され得ることが想定される。
【００９５】
本願で使用されているような「切断弱化線」との用語は、基材の一部分を互いから分離し易くする、または、最適な分離位置を示す、あらゆる種類の線を意味する。切断線は、脆弱である、或いは、弱化線、破線、カットライン、または、スリットであり得る。
【００９６】
ヒンジ連結、切断線、及び、折り目は、ミシン目、ミシン目の線、ショートスリットの線、ハーフカットの線、単一のハーフカット、カットライン、中断されたカットライン、スリット、スコア（scores）、これらの任意の組み合せ、及び同類物を含む、ブランクの基材に形成された要素をそれぞれが含み得ることが理解されるべきである。この要素は、所望お機能性をもたらすように寸法付けられ、構成され得る。例えば、ミシン目の線は、折り目及び／または切断線を画定するような脆弱度で寸法付け、または、設計され得る。ミシン目の線は、折り曲げ易く、かつ、破断しないように、或いは、折り曲げ易く、かつ、より力を入れると破断し易く、或いは、小さな力で破断し易く設計され得る。
【００９７】
本願で使用されているような「と揃う（in registry with）」」とは、２つ重なるパネルの１つ目に形成される凹部、及び、２つの重なるパネルの２つ目に形成される孔など、組み立たれたカートンにおける２つ以上の構成要素の整列を意味する。互いと揃うこれらの構成要素は、重なるパネルの厚み方向において互いに揃えられ得る。例えば、第１のパネルの凹部が、第１のパネルと重なる配置で置かれる第２のパネルの孔と「揃う」ものである際、凹部の縁は、孔の縁の少なくとも一部に沿って延在し、かつ、孔と第１及び第２のパネルの厚み方向において揃えられ得る。
【符号の説明】
【００９８】
１０  ブランク
１１  折り目
１２  （第１のまたは内側の）頂壁
１３  折り目
１４  第１の側壁パネル
１５  折り目
１６  底壁（パネル）
１７  折り目
１８  第２の側壁（パネル）
２０  第２のまたは外側の頂壁（パネル）
２１  折り目
２２  第２のまたは外側の頂壁（パネル）
２３  折り目
２４  第２の側壁（パネル）
２５  折り目
２６  底壁（パネル）
２７  折り目
２８  第１の側壁（パネル）
３０  第１のまたは内側の頂壁（パネル）
３１  折り目
３２  端部閉鎖パネル
３３  折り目
３４  端部閉鎖パネル
３５  折り目
３６  端部閉鎖パネル
３７  折り目
３８  端部閉鎖パネル
３９  折り目
４０  端部閉鎖パネル
４０  端部閉鎖パネル
４１  折り目
４２  端部閉鎖パネル
４３  折り目
４４  端部閉鎖パネル
４６  端部閉鎖パネル
４７  折り目
５０  ティアー開始タブ
５１  切断弱化線
５２  折り目
５３  切断弱化線
５４  切断弱化線
５６  除去（可能）部分
６０  タブ
６１  カットライン
６２  タブ
６３  折り目
６４  切断（弱化）線
６５  折り目
６７  カットライン
６８  折り目
６９  折り目
９０  カートン
９１  梱包容器
Ｄ１  第１のアクセスデバイス
Ｄ２  第２のアクセスデバイス、ディスペンサー
Ｈ１  第１のハンドル構造
Ｈ２  第２のハンドル構造
Ｐ１  第１セット
Ｐ２  第２セット
Ｒ１  第１の凹部
Ｒ２  第２の凹部
Ｒ３  第３の凹部
Ｒ４  第４の凹部
【図１】
2016525045.tif 000003
【図２】
2016525045.tif 000004
【図３】
2016525045.tif 000005
【図４】
2016525045.tif 000006
【図５】
2016525045.tif 000007
【図６】
2016525045.tif 000008
【図７】
2016525045.tif 000009
【国際調査報告】
2016525045.tif 000010
2016525045.tif 000011
2016525045.tif 000012